(57)【要約】      （修正有）【課題】夜間の誘目性が高く、表示が見やすい蓄光サインを提供する。【解決手段】蓄光材を有する基板２と、その表面側に形成された表示部３とを備え、表示部は表す文字や図形の形状に形成させた透光性を有する透光色部３１を備えると共に、表示部の縁の外側に基板の表面が視認され、透光色部の端部分に縁取り状に形成させた不透光性の縁部３２を設けて、その縁部の裏側の蓄光材の蓄光を抑制させる。基板の蓄光材の発する燐光は、表示を形作る透光色部と、その縁より外側の部分の両方から放射されて視認されるようになされるので、蓄光サイン全体の誘目性が向上する。また、不透光性の縁部の裏側の蓄光材の蓄光が抑制されるので、周囲が暗い夜間などにおいて、燐光を放射して表示を表す透光色部と、同じく燐光を放射する表示部の縁の外側部分との境界が縁取り状により暗く視認されるようになされ、表示部の表す形状がより認識されやすい。【選択図】図２
2016224383.tif 000002
【特許請求の範囲】
【請求項１】
蓄光材を有する基板と、該基板の表面側に形成された表示部とを備えた蓄光サインであって、
前記表示部は表す文字や図形の形状に形成されて表示を表す透光性を有する透光色部を備えると共に、前記表示部の縁の外側に前記基板の表面が視認されるようになされており、
前記透光色部は表面側から照射された光を前記基板へ透過させて前記蓄光材へ蓄光可能に形成され、
前記透光色部の端部分には縁取り状に形成された不透光性の縁部が設けられて、該縁部の裏側の蓄光材の蓄光が抑制されていることを特徴とする蓄光サイン。
【請求項２】
昼間など周囲が明るい状況において、前記縁部の色調が、少なくとも前記透光色部及び前記基板のいずれかの色調と略同色に視認されるように設けられていることを特徴とする請求項１に記載の蓄光サイン。
【請求項３】
前記縁部の少なくとも一部が前記透光色部の表面に形成され、且つ、前記縁部の幅の大きさが、前記透光色部の厚みよりも大きく形成されていることを特徴とする請求項１又は２に記載の蓄光サイン。
【請求項４】
前記縁部の少なくとも一部が前記基板の表面に形成されていることを特徴とする請求項１〜３のいずれかに記載の蓄光サイン。
【発明の詳細な説明】
【技術分野】
【０００１】
本発明は、明るい日中などにおいて蓄光させた蓄光材によって、夜間でも表示が視認しやすくなされた蓄光サインに関するものである。
【背景技術】
【０００２】
蓄光材を利用した蓄光サインは、電気を利用する発光体で表示部分を照明するサインとは異なり、停電や装置の故障などによって発光が停止する恐れがないので、通常の看板などにとどまらず、避難誘導サインなど非常時に備えて設置するサインとして好適に用いられており、種々の発明が開示されている。
【０００３】
例えば、特許文献１には、射出成形により形成される高分子化合物製の第１基盤部と、その第１基盤部の所定面の一部に積重され前記第１基盤部に接着されると共に、蓄光顔料が混練され射出成形により形成される高分子化合物製の第１蓄光部とを備え、その第１蓄光部および前記第１基盤部により前記第１基盤部の所定面に、可視光下で視認される所定の図柄が形成されていることを特徴とする蓄光成形体が開示されている。
【先行技術文献】
【特許文献】
【０００４】
【特許文献１】特開２０１４−０４００１８号公報
【発明の概要】
【発明が解決しようとする課題】
【０００５】
特許文献１に示される蓄光成形体は、図柄を形成する第１蓄光部に蓄光顔料を含有させるのに対し、それ以外の部分となる第１基盤部に蓄光顔料を含有させないことで、蓄光顔料の使用量を抑制させているが、第一基盤部が発光しないので、燐光を発する面積が狭まり、蓄光成形体の全体の誘目性が低下するという問題点があった。
【０００６】
そこで本発明は、夜間の誘目性が高く、表示が見やすい蓄光サインを提供するものである。
【課題を解決するための手段】
【０００７】
上記目的を達成するため、本発明は以下のような構成としている。
即ち、本発明に係る蓄光サインは、蓄光材を有する基板と、該基板の表面側に形成された表示部とを備えた蓄光サインであって、
前記表示部は表す文字や図形の形状に形成されて表示を表す透光性を有する透光色部を備えると共に、前記表示部の縁の外側に前記基板の表面が視認されるようになされており、
前記透光色部は表面側から照射された光を前記基板へ透過させて前記蓄光材へ蓄光可能に形成され、
前記透光色部の端部分には縁取り状に形成された不透光性の縁部が設けられて、該縁部の裏側の蓄光材の蓄光が抑制されていることを特徴とするものである。
【０００８】
本発明に係る蓄光サインによれば、蓄光材を有する基板と、この基板の表面側に形成した表示部とを備え、表す文字や図形の形状に形成させた表示部の透光性を有する透光色部で表示を表すように設け、且つ、前記表示部の縁の外側に前記基板の表面が視認されるので、前記基板の有する蓄光材の発する燐光が、表示を形作る透光色部と、その縁より外側の部分の両方から放射されて視認されるようになされるので、蓄光サイン全体の誘目性が向上する。
また、前記透光色部が透光性を有し、この透光色部の表面側から照射された光を前記基板へ透過させて前記蓄光材へ蓄光可能に形成するので、前記透光色部の裏側の蓄光材が良好に蓄光して燐光を発するようになされ、蓄光サイン全体の誘目性が向上する。
また、前記透光色部の端部分に不透光性の縁部を縁取り状に形成させて、この縁部の裏側の蓄光材の蓄光を抑制させるので、周囲が暗い夜間などにおいて、燐光を放射して表示を表す透光色部と、同じく燐光を放射する表示部の縁の外側部分との境界がより暗く視認されるようになされ、前記表示部の表す形状がより認識されやすくなされる。
【０００９】
また、昼間など周囲が明るい状況において、前記縁部の色調を、少なくとも前記透光色部及び前記基板のいずれかの色調と略同色に視認されるように設ければ、主に２色で形成する周知の標識やサインを形成した場合に、観者に違和感を与えずに表示内容を認識させることができ、好ましい。
【００１０】
また、前記縁部の少なくとも一部を前記透光色部の表面に形成させ、且つ、前記縁部の幅の大きさを、前記透光色部の厚みよりも大きく形成すれば、蓄光サインの表面側から照射された光が、透光性を有する透光色部を通じて前記縁部の裏側の蓄光材へ至り蓄光されても、この蓄光材から発せられる燐光が、前記透光色部の厚みより大きな幅に形成した前記縁部で効果的に遮蔽できるので、縁部の部分が十分暗く視認されるようになされ、好ましい。
【００１１】
また、前記縁部の少なくとも一部を前記基板の表面に形成させれば、縁部の裏側の蓄光材への光の照射を効果的に抑制できるので、縁部の部分が十分暗く視認されるようになされ、好ましい。
【発明の効果】
【００１２】
本発明に係る蓄光サインによれば、表示を形作る部分とそれ以外の部分との両方から燐光を発して誘目性を高められると共に、周囲が暗く蓄光材の燐光で表示を視認するような状況では、表示を形作る部分とそれ以外の部分との境界において燐光の発生が抑制され、縁取り状に暗く視認されるようになされて表示内容が認識しやすくなされる。
【図面の簡単な説明】
【００１３】
【図１】本発明に係る蓄光サインの実施の一形態を示す、（イ）は平面図であり、（ロ）は正面図である。
【図２】図１のＡ−Ａ断面の概要を示す断面図である。
【図３】本発明に係る蓄光サインの実施の他の一形態の断面の概要を示す断面図である。
【図４】本発明に係る蓄光サインの実施の他の一形態の断面の概要を示す断面図である。
【図５】本発明に係る蓄光サインの実施の他の一形態の断面の概要を示す断面図である。
【発明を実施するための形態】
【００１４】
本発明の実施の形態を図面に基づき具体的に説明する。
１は蓄光サインである。
図１に示す蓄光サイン１は、矩形板状に形成した基板２の表面に、表示部３を形成させている。
【００１５】
前記基板２は、蓄光材を含有している。前記蓄光サイン１は、周囲が明るい状況において、前記表示部３を形成させた表面側から基板２へ照射された光Ｌを前記蓄光材に蓄光させ、周囲が暗い状況では、前記蓄光体が発し表面側へ放射する燐光ｐによって、前記表示部３の表す表示を視認できるように設けている。
【００１６】
基板２に含有させる前記蓄光材は、公知のものを利用できる。例えば、硫化亜鉛やそれに銅を配合した硫化系のものがある。あるいは、酸化アルミ、酸化ストロンチウム等の酸化物を主体として、それにユーロピューム等の希土類を配合した酸化系のものは、安全性、化学的安定性、耐熱性、発光時間の長さ等において利点があり好ましい。特に、アルミン酸系ストロンチウム系の蓄光材は、発光輝度および発光時間が長く、好適である。
【００１７】
前記基板２の材料は、公知のものを利用できる。例えば、ポリエチレン樹脂、ポリプロピレン樹脂、ポリエチレンテフタレート樹脂、ポリ塩化ビニル樹脂、ポリアクリル樹脂、ポリアミド樹脂、ポリカーボネート樹脂などの合成樹脂や、金属、ガラス、陶器などを選択、又は組み合わせて用いることができる。
図１の基板２は、ポリ塩化ビニル樹脂にアルミン酸系ストロンチウム系の蓄光材を混入させて板状に成形した淡い黄緑色の蓄光板を用いている。
基板２の構成は上記のものに限るものではなく、表面側から照射された光Ｌを蓄光させ、発する燐光ｐを表面側へ放射可能な他の構成に形成してもよい。例えば、蓄光材を基板２の内部に混入させるのではなく、基板２の表面に層状に配置させてもよい。
【００１８】
図１の蓄光サイン１は、基板２の表面に形成した表示部３により、津波避難場所を示す図記号を表示させている。表示部３は、透光性を有する有色の透光色部３１を備え、この透光色部３１を表す表示の形状に形成している。図１の表示部３は、透光色部３１を透光性を有する緑色に形成しており、図記号の表す人ａ１、波ａ２、坂ａ３以外の箇所を塗りつぶすように透光色部３１を設けている。即ち、蓄光サイン１は、周囲が明るい状況では、表示部３の透光色部３１の部分が緑色に視認され、表示部３の縁の外側に位置する前記人ａ１、波ａ２、坂ａ３の部分が淡い黄緑色に設けた基板２の色調に視認されるように表されている。尚、ここでいう表示部３の縁の外側とは、表示部３の外縁の外側に限るものではなく、表示部３が形成されていない部分を意味している。即ち、表示部３の内側に位置するように形成させた前記人ａ１、波ａ２、坂ａ３のように、表示部３の内縁の中の部分も含むものである。
【００１９】
また、前記透光色部３１は透光性を有するので、蓄光サイン１の表面側から照射された光Ｌを透過させ、透光色部３１の裏側に位置する基板２の蓄光材が蓄光するように設けられている。そして周囲が暗い状況では、基板２の蓄光材の発する燐光ｐが透光色部３１を透過して表面側から視認できるようになされる。
【００２０】
図２は、図１のＡ−Ａ断面の概要を示す断面図である。
前記蓄光サイン１は、基板２の表面に表示部３を形成し、更にその表面側に無色透明な保護層５を設けている。保護層５は、表示部３を含む基板２全体を覆うように形成しており、表示部３の傷や剥がれなどの損傷や退色などを抑制させている。
【００２１】
基板２の表面に形成させた表示部３は、透光色部３１の端部分に縁部３２を設けている。
縁部３２は、透光色部３１の端に縁取り状に形成させており、図１に示す図記号の表す人ａ１、波ａ２、坂ａ３の部分を囲うようにその全周に亘って形成させている。
【００２２】
図２に示す縁部３２は、前記透光色部３１と同様に、基板２の表面に形成させており、具体的には、縁部３２の側部と、透光色部３１の側部とが接触するように基板２の表面にそれぞれ形成させている。
【００２３】
縁部３２は、不透光性の材質で形成させている。
即ち、縁部３２は、基板２の表面側から照射された光Ｌを透過することなく遮蔽するので、縁部３２の裏側に位置する基材２の蓄光材の蓄光を妨げ、燐光ｐの放射が抑制される。
【００２４】
縁部３２によりその裏側の蓄光材の燐光ｐの放射を抑制させることで、周囲が暗い状況で蓄光サイン１を視認したとき、縁部３２の部分が最も暗く視認されるようになされる。
即ち、周囲が暗い状況で図１の蓄光サイン１を視認したとき、基板２の蓄光材が発する燐光ｐが無色透明な保護層５のみを透過する人ａ１、波ａ２、坂ａ３の部分が最も明るく認識される。また、前記蓄光材からの燐光ｐが保護層５と透光性を有する有色の透光色部３１とを透過する透光色部３１の部分が、前記人ａ１、波ａ２、坂ａ３の部分の次に明るく視認される。そして、表面側からの光Ｌが遮蔽されて裏側に位置する蓄光材の蓄光が妨げられる前記縁部３２の部分が最も暗く視認されるように設けられている。
【００２５】
縁部３２の部分が暗く視認されるように設けることで、周囲が暗い状況で蓄光サイン１を視認したときに、最も明るい人ａ１、波ａ２、坂ａ３の部分と、次に明るい透光色部３１との境界が明瞭に視認されて、表示部３の表す表示がより認識しやすくなされる。
また、図１の蓄光サイン１は、縁部３２の部分で蓄光材が発光しないように設けているが、表示を形作る表示部３の透光色部３１と、表示部３以外の基板２が視認できる部分の両方から基板２の蓄光材からの燐光ｐが放射されるので、表す表示の略全体が発光するように視認されてその誘目性が高められ、周囲が暗い状況において蓄光サイン１を発見しやすくなる。
【００２６】
図１の蓄光サイン１の表示部３は、周囲が明るい状況で視認したときに、透光色部３１と縁部３２とが略同色に視認されるように、それぞれの色調を調整している。
即ち、不透光性の縁部３２は、透光性を有する有色の透光色部３１が基板２の表面に設けられた状態で視認される色と同じ色調に見えるように調色している。具体的には、観者が視認する透光色部３１の色調は、透光色部３１の厚みや、裏側の基板２の色調などによって変化するが、縁部３２はこれらの要因を配慮し、透光色部３１と略同じ色に見えるように調色している。図１の縁部３２は、周囲が明るい状況で蓄光サイン１を目視したときに、緑色に設けた透光色部３１と同じ色に見える緑色に調色している。
このように透光色部３１と、縁部３２の色調を調整することで、周囲が明るい状況では透光色部３１と縁部３２とが一体的に見えるようになされるので、図１に示すような津波避難場所を表すような図記号や、非常口を表すサイン、交通標識など、一般的に良く知られている表示を形成するとき、表示部３で形成した表示に対する観者の違和感を低減させ、表示内容を認識しやすい蓄光サイン１を形成することができる。
【００２７】
図３は、本発明に係る蓄光サイン１の実施の他の一形態の断面の概要を示す断面図である。
本実施形態の蓄光サイン１は、表示部３の縁部３２を基板２の表面ではなく、透光色部３１の表面に形成させた点が、図１〜２に示す実施形態と異なる事項である。
即ち、本実施形態の蓄光サイン１は、基板２の表面に表示部３を形成し、更にその表面側に無色透明な保護層５を基板２全体を覆うように形成させている。また、蓄光サイン１は、周囲が明るい状況において、表示部３を形成させた表面側から基板２へ照射された光Ｌを前記蓄光材に蓄光させ、周囲が暗い状況では、前記蓄光体が発し表面側へ放射する燐光ｐによって、前記表示部３の表す表示を視認できるように設けている。また、表示部３は、透光性を有する有色の透光色部３１と、その端部分に縁取り状に形成させた不透光性の縁部３２を備え、周囲が明るい状況では透光色部３１と縁部３２とが略同色に見えるように調色している。
【００２８】
不透光性の材質で形成させた縁部３２は、基板２の表面側から照射された光Ｌを遮蔽し、縁部３２の裏側に位置する基材２の蓄光材の蓄光を妨げ、燐光ｐの放射を抑制させる。しかしながら、図１〜２の蓄光サイン１と異なり、縁部３２と基板２の間に透光色部３１を配置しているので、蓄光サイン１の表面側から照射された光Ｌが、透光色部３１の内側を通じて縁部３２の裏側の蓄光材へ届く場合がある。
図３の蓄光サイン１は、縁部３２の幅の大きさｘを、透光色部３１の厚みの大きさｔよりも大きく形成させている。これにより、透光色部３１の内側を通じて縁部３２の裏側の蓄光材へ光Ｌが届く場合でも、縁部３２の裏側の一部の蓄光材に留め、縁部３２の裏側全体で基板２の蓄光材が蓄光して燐光ｐを発することを抑制させるので、周囲が暗い状況で蓄光サイン１を目視したときに、縁部３２がより暗く視認されるようになされる。縁部３２の幅の大きさｘは、透光色部３１の厚みの大きさの２倍以上に形成するのが好ましく、３倍以上に形成するのがより好ましい。
【００２９】
また、透光色部３１の内側を通過した光Ｌが縁部３２の裏側の一部の蓄光材を蓄光させて燐光ｐを発した場合でも、発せられた燐光ｐは縁部３２に遮られて蓄光サイン１の表面側への放射が妨げられるので、周囲が暗い状況で蓄光サイン１を目視したときに、縁部３２がより暗く視認されるようになされる。
【００３０】
図４は、本発明に係る蓄光サイン１の実施の他の一形態の断面の概要を示す断面図である。
本実施形態の蓄光サイン１は、表示部３の縁部３２の一部を基板２の表面に当接させると共に、他の一部を透光色部３１の表面に当接させて形成させた点が、図１〜２や、図３に示す実施形態と異なる事項である。
即ち、本実施形態の蓄光サイン１は、基板２の表面に表示部３を形成し、更にその表面側に無色透明な保護層５を基板２全体を覆うように形成させている。また、蓄光サイン１は、周囲が明るい状況において、表示部３を形成させた表面側から基板２へ照射された光Ｌを前記蓄光材に蓄光させ、周囲が暗い状況では、前記蓄光体が発し表面側へ放射する燐光ｐによって、前記表示部３の表す表示を視認できるように設けている。また、表示部３は、透光性を有する有色の透光色部３１と、その端部分に縁取り状に形成させた不透光性の縁部３２を備え、周囲が明るい状況では透光色部３１と縁部３２とが略同色に見えるように調色している。
【００３１】
不透光性の材質で形成させた縁部３２は、基板２の表面側から照射された光Ｌを遮蔽し、縁部３２の裏側に位置する基材２の蓄光材の蓄光を妨げ、燐光の放射を抑制させる。また、図３の蓄光サイン１と同様に、縁部３２の一部と基板２の間に透光色部３１を配置しているので、蓄光サイン１の表面側から照射された光Ｌが、透光色部３１の内側を通じて縁部３２の裏側の蓄光材へ届く場合がある。
図４の蓄光サイン１は、図１〜２に示す蓄光サイン１と同様に、不透光性の縁部３２が基板２の表面に当接している部分において、蓄光サイン１の表面側から照射される光Ｌを遮蔽し、その裏側に位置する基板２の蓄光材の蓄光を妨げて燐光ｐの発生を効果的に抑制できる。
また、図４の蓄光サイン１は、透光色部３１の表面に当接する部分における縁部３２の幅の大きさｘを、透光色部３１の厚みの大きさｔよりも大きく形成させており、図３に示す蓄光サイン１と同様に、透光色部３１の内側を通じて縁部３２の裏側の蓄光材へ光Ｌが届く場合でも、縁部３２の裏側の一部の蓄光材に留め、縁部３２の裏側全体で基板２の蓄光材が蓄光して燐光ｐを発することを抑制させる。そして、透光色部３１の内側を通過した光Ｌが縁部３２の裏側の一部の蓄光材を蓄光させて燐光ｐを発した場合でも、発せられた燐光ｐは縁部３２に遮られて蓄光サイン１の表面側への放射が妨げられる
このように縁部３２を設けることで、周囲が暗い状況で蓄光サイン１を目視したときに、縁部３２がより暗く視認されるようになされる。
透光色部３１の表面に当接する部分における縁部３２の幅の大きさｘは、透光色部３１の厚みの大きさの２倍以上に形成するのが好ましく、３倍以上に形成するのがより好ましい。
【００３２】
図５は、本発明に係る蓄光サイン１の実施の他の一形態の断面の概要を示す断面図である。
本実施形態の蓄光サイン１は、表示部３の縁部３２の色調を、透明色部３１ではなく、基板２の色調と略同色に見えるように調色すると共に、縁部３２を基板２の表面に形成し、更に前記縁部３２の表面に当接するように透光色部３１を形成させている点が、図１〜２や、図３や、図４に示す実施形態と異なる事項である。
即ち、本実施形態の蓄光サイン１は、基板２の表面に表示部３を形成し、更にその表面側に無色透明な保護層５を基板２全体を覆うように形成させている。また、蓄光サイン１は、周囲が明るい状況において、表示部３を形成させた表面側から基板２へ照射された光Ｌを前記蓄光材に蓄光させ、周囲が暗い状況では、前記蓄光体が発し表面側へ放射する燐光ｐによって、前記表示部３の表す表示を視認できるように設けている。また、表示部３は、透光性を有する有色の透光色部３１と、その端部分に縁取り状に形成させた不透光性の縁部３２を備えている。
【００３３】
また、図５の蓄光サイン１は、図１〜２に示す蓄光サイン１と同様に、不透光性の縁部３２を基板２の表面に形成しているので、蓄光サイン１の表面側から照射される光Ｌを縁部３２で遮蔽し、その裏側に位置する基板２の蓄光材の蓄光を妨げて燐光ｐの発生を効果的に抑制できる。
【００３４】
図５に示す蓄光サイン１は、図１〜２や、図３や、図４に示す蓄光サイン１と同様に、基板２を淡い黄緑色に形成し、表示部３の透光色部３１を透光性を有する緑色に形成している。
そして、図５の蓄光サイン１は、縁部３２の色調を、基板２と略同色に見えるような淡い黄緑色に調色している。
縁部３２に色調を基板２にあわせて調色することで、透光色部３１が基板２の表面に形成された部分と、透光色部３１が縁部３２の表面に形成された端部分とで、色調が略同色に視認されるようになされる。
また、縁部３２の色調の調整において、図１〜２や、図３や、図４に示す蓄光サイン１のように、透光色部３１の厚みや、裏側の基板２の色調などによって変化する透明色部３１に色目をあわせて調色するよりも、色調の変化の少ない基板２に色目をあわせて調色するほうが容易である。
尚、前記透光色部３１は、基板２の表面に当接する部分と、縁部３２の表面に当接する部分とで、その厚みの大きさの違いが小さくなるように形成しており、厚みの違いによる透光色部３１の色調の変化を抑制させている。
【００３５】
図１〜５に示す蓄光サイン１は、基板２の表面側に形成した不透光性の縁部３２により、表面側から照射される光Ｌを遮蔽して、その裏側に位置する基板２の蓄光材の蓄光を妨げ、燐光ｐの発生を抑制させている。このため、縁部３２の裏側の蓄光材の蓄光を妨げるために、蓄光サイン１の表面側以外の方向から基板２への光の照射を妨げるように設けることが好ましい。
具体的には、基板２の裏面に不透光性の部材を配置させる構成が挙げられ、不透光性の塗料の塗布や、不透光性の板材などを基板２の裏面側に取り付けることで、基板２の裏面側からの光によって、縁部３２の裏面側の蓄光材が蓄光することを防止できる。また、基板２の裏面側から光が照射されない場所へ蓄光サイン１を設置させてもよい。
【００３６】
尚、本発明に係る蓄光サイン１は、上記実施形態に限定されるものではなく、本発明の要旨を逸脱しない範囲で種々の変更が可能である。
例えば、前記蓄光サイン１は、表示部３を含む基板２全体を覆う保護層５を基板２に当接させて設けているが、これに限るものではなく、基板２や表示部３から離間させて保護層５を設けてもよく、十分な耐久性や耐候性を備える場合は保護層５を設けなくても良い。また保護層５を設ける場合、その表面に親水処理を施すなどして、防汚性を高めるように設けても良い。
【符号の説明】
【００３７】
１    蓄光サイン
２    基板
３    表示部
３１  透光色部
３２  縁部
５    保護層
Ｌ    光
ｐ    燐光
【図１】
2016224383.tif 000003
【図２】
2016224383.tif 000004
【図３】
2016224383.tif 000005
【図４】
2016224383.tif 000006
【図５】
2016224383.tif 000007